Podtech/llm-jp-corpus-v4-ja_patent huggingface dataset:
【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選を実行する抽選手段と、
前記抽選手段による抽選結果が当りである場合に当り遊技に制御する当り遊技制御手段と、
遊技実績に基づいて算出される所定情報を表示可能な情報表示手段と、
前記情報表示手段に関する制御を行う情報表示制御手段と、
を備えた遊技機において、
遊技情報が記憶される第１記憶領域と、
前記所定情報が記憶される第２記憶領域と、を有し、
前記情報表示制御手段は、
電源投入後、確認表示を所定時間、前記情報表示手段に表示させる確認表示処理と、
前記確認表示を所定時間実行した後、前記所定情報を前記情報表示手段に表示させる所定情報表示処理と、を実行可能であり、
前記確認表示中に、前記第２記憶領域の異常チェック処理を実行するように構成された
ことを特徴とする遊技機。
【手続補正２】
【補正対象書類名】明細書
【補正対象項目名】０００２
【補正方法】変更
【補正の内容】
【０００２】
パチンコ機等の遊技機では、図柄始動手段に遊技球が入賞する等の所定条件が成立することに基づいて乱数抽選を行い、その乱数抽選で当選した場合に遊技者に有利な利益状態を発生させるように構成されている（特許文献１）。
【手続補正３】
【補正対象書類名】明細書
【補正対象項目名】０００４
【補正方法】変更
【補正の内容】
【０００４】
本発明は、遊技実績に基づいて算出される所定情報の表示制御をより好適に行うことが可能な遊技機を提供することを目的とする。
【手続補正４】
【補正対象書類名】明細書
【補正対象項目名】０００５
【補正方法】変更
【補正の内容】
【０００５】
本発明は、始動条件の成立に基づいて抽選を実行する抽選手段と、前記抽選手段による抽選結果が当りである場合に当り遊技に制御する当り遊技制御手段と、遊技実績に基づいて算出される所定情報を表示可能な情報表示手段と、前記情報表示手段に関する制御を行う情報表示制御手段と、を備えた遊技機において、遊技情報が記憶される第１記憶領域と、前記所定情報が記憶される第２記憶領域と、を有し、前記情報表示制御手段は、電源投入後、確認表示を所定時間、前記情報表示手段に表示させる確認表示処理と、前記確認表示を所定時間実行した後、前記所定情報を前記情報表示手段に表示させる所定情報表示処理と、を実行可能であり、前記確認表示中に、前記第２記憶領域の異常チェック処理を実行するように構成されたものである。
【手続補正５】
【補正対象書類名】明細書
【補正対象項目名】０００６
【補正方法】変更
【補正の内容】
【０００６】
本発明によれば、遊技実績に基づいて算出される所定情報の表示制御をより好適に行うことが可能である。
【手続補正書】
【提出日】令和2年5月12日(2020.5.12)
【手続補正１】
【補正対象書類名】明細書
【補正対象項目名】０００１
【補正方法】変更
【補正の内容】
【０００１】
本発明は、所定条件の成立に基づきゲームを実行可能な遊技制御手段を備えた遊技機に関する。
【手続補正２】
【補正対象書類名】明細書
【補正対象項目名】０００４
【補正方法】変更
【補正の内容】
【０００４】
本発明の目的は、適切な遊技制御を行うことが可能な遊技機を提供することである。
【手続補正３】
【補正対象書類名】明細書
【補正対象項目名】０００５
【補正方法】変更
【補正の内容】
【０００５】
以上の課題を解決するため、請求項１に記載の発明は、
所定条件の成立に基づきゲームを実行可能な遊技制御手段を備えた遊技機において、
前記遊技制御手段は、
遊技に使用した遊技価値である使用遊技価値の量を取得可能な使用遊技価値取得手段と、
遊技者に付与した遊技価値である付与遊技価値の量を取得可能な付与遊技価値取得手段と、
前記使用遊技価値取得手段で取得した前記使用遊技価値の量と、前記付与遊技価値取得手段で取得した前記付与遊技価値の量と、の比率値を算出する算出手段と、を備え、
所定周期で実行される割込み処理において、前記ゲームの実行に関する処理を実行可能であることを特徴とする。
【手続補正４】
【補正対象書類名】明細書
【補正対象項目名】０００６
【補正方法】変更
【補正の内容】
【０００６】
本発明によれば、適切な遊技制御を行うことが可能となる。
【手続補正５】
【補正対象書類名】特許請求の範囲
【補正対象項目名】全文
【補正方法】変更
【補正の内容】
【特許請求の範囲】
【請求項１】
所定条件の成立に基づきゲームを実行可能な遊技制御手段を備えた遊技機において、
前記遊技制御手段は、
遊技に使用した遊技価値である使用遊技価値の量を取得可能な使用遊技価値取得手段と、
遊技者に付与した遊技価値である付与遊技価値の量を取得可能な付与遊技価値取得手段と、
前記使用遊技価値取得手段で取得した前記使用遊技価値の量と、前記付与遊技価値取得手段で取得した前記付与遊技価値の量と、の比率値を算出する算出手段と、を備え、
所定周期で実行される割込み処理において、前記ゲームの実行に関する処理を実行可能であることを特徴とする遊技機。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
遊技を行い、遊技者にとって有利な有利状態に制御可能な遊技機であって、
設定値を設定可能な設定手段と、
設定された設定値にもとづいて遊技者にとっての有利度合いが異なるように遊技を進行可能な遊技制御手段と、
電力供給の開始に伴い前記設定手段による設定値の設定を許可する設定許可状態に制御可能な設定制御手段と、
設定値に関する制御を実行可能な遊技制御手段と、
前記遊技制御手段からの情報に基づいて演出の実行を制御する演出制御手段と、を備え、
前記遊技制御手段から前記演出制御手段に対して設定値を送信せず、
前記演出制御手段は、
前記遊技制御手段から送信された設定値を特定可能な情報に基づいて設定値を特定可能な設定値特定手段を備え、
前記設定値特定手段による特定結果に基づいて、所定演出を実行可能である
ことを特徴とする遊技機。
【手続補正２】
【補正対象書類名】明細書
【補正対象項目名】０００２
【補正方法】変更
【補正の内容】
【０００２】
遊技者にとっての有利度が異なる複数の設定に変更可能な遊技機として、例えば特許文献１に記載されているものがある。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
しかしながら、特許文献１に記載の技術では、設定に関する情報を演出装置に伝送するのでセキュリティ面に課題があった。
【手続補正５】
【補正対象書類名】明細書
【補正対象項目名】０００５
【補正方法】変更
【補正の内容】
【０００５】
この発明は、上記の実状に鑑みてなされたものであり、セキュリティ面を強化した上で、設定値を示唆できる遊技機を提供することを目的とする。
【手続補正６】
【補正対象書類名】明細書
【補正対象項目名】０００６
【補正方法】変更
【補正の内容】
【０００６】
（１）上記目的を達成するため、本願発明に係る遊技機は、
遊技を行い、遊技者にとって有利な有利状態（例えば大当り遊技状態など）に制御可能な遊技機（例えばパチンコ遊技機１など）であって、
設定値を設定可能な設定手段（例えばステップＳａ１３の設定変更処理を実行するＣＰＵ１０３など）と、
設定された設定値にもとづいて遊技者にとっての有利度合いが異なるように遊技を進行可能な遊技制御手段（例えばステップＳ２５の特別図柄プロセス処理を実行するＣＰＵ１０３など）と、
電力供給の開始に伴い前記設定手段による設定値の設定を許可する設定許可状態に制御可能な設定制御手段（例えばステップＳａ６、Ｓａ１２を実行するＣＰＵ１０３など）と、
設定値に関する制御を実行可能な遊技制御手段（例えば主基板１１やＣＰＵ１０３など）と、
前記遊技制御手段からの情報に基づいて演出の実行を制御する演出制御手段（例えば演出制御基板１２や演出制御用ＣＰＵ１２０など）と、を備え、
前記遊技制御手段から前記演出制御手段に対して設定値を送信せず（設定変更終了コマンドに設定値に関する情報を含ませず）、
前記演出制御手段は、
前記遊技制御手段から送信された設定値を特定可能な情報に基づいて設定値を特定可能な設定値特定手段（例えばステップ７９ＡＫＳ０２７の設定値推測処理を実行する演出制御用ＣＰＵ１２０など）を備え、
前記設定値特定手段による特定結果に基づいて、所定演出（例えば設定示唆演出など）を実行可能である（例えばステップ７９ＡＫＳ０２２、Ｓ１７１、Ｓ１７７の処理を実行する演出制御用ＣＰＵ１２０など）。
このような構成によれば、遊技制御手段から演出制御手段へ設定値を送信することなく、遊技者に設定値に関する情報を示唆することができ、遊技の興趣が向上する。
【手続補正７】
【補正対象書類名】明細書
【補正対象項目名】０００７
【補正方法】変更
【補正の内容】
【０００７】
（２）上記（１）の遊技機において、
前記所定演出は、前記設定値推測手段により推測される設定値に応じて異なる割合で実行される（例えばステップ７９ＡＫＳ０２２にて推測設定値に応じて異なる割合で設定示唆演出を実行すると判定する）ようにしてもよい。
このような構成によれば、遊技制御手段から演出制御手段へ設定値を特定可能な情報を送信することなく、遊技者に設定値に関する情報を示唆することができ、遊技の興趣が向上する。
【手続補正８】
【補正対象書類名】明細書
【補正対象項目名】０００８
【補正方法】変更
【補正の内容】
【０００８】
（３）上記（１）または（２）の遊技機において、
前記遊技制御手段から前記演出制御手段に対して設定値が変更されたことを示す設定値変更情報は送信する（設定値に関する情報を含まない設定変更終了コマンドを送信する）ようにしてもよい。
このような構成によれば、遊技制御手段から演出制御手段へ設定値を特定可能な情報を送信することなく、遊技者に設定値に関する情報を示唆することができ、遊技の興趣が向上する。
【手続補正９】
【補正対象書類名】明細書
【補正対象項目名】０００９
【補正方法】変更
【補正の内容】
【０００９】
（４）上記（３）の遊技機において、
前記設定値推測手段は、推測した設定値に関する情報（例えば設定関連データ記憶領域７９ＡＫ０１０における記憶内容）を記憶し、前記設定値変更情報を受信したことに基づいて、該情報を更新する（例えばステップ７９ＡＫＳ０１０を実行する）ようにしてもよい。
このような構成によれば、設定値を推測するための制御を好適に実行できる。
【手続補正１０】
【補正対象書類名】明細書
【補正対象項目名】００１０
【補正方法】変更
【補正の内容】
【００１０】
（５）上記（３）の遊技機において、
前記設定値推測手段は、前記設定値変更情報と、前記有利状態に制御された割合と、に基づいて設定値を推測する（例えば７９ＡＫＳ０２７の処理において設定変更後大当り回数７９ＡＫ０１２及び設定変更後変動回数７９ＡＫ０１３に基づいて設定値を推測する演出制御用ＣＰＵ１２０など）ようにしてもよい。
このような構成によれば、設定値を推測するための制御を好適に実行できる。
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
遊技領域に遊技球を発射し、前記遊技領域に形成された始動入賞口に遊技球が入球したことを契機に図柄ゲームとして図柄を変動表示させた後に停止表示させ、停止表示した図柄が所定の表示態様である場合に遊技者に利益を付与可能な特別遊技を行うぱちんこ遊技機であって、
前記図柄ゲームを含む遊技の進行を制御する主制御手段と、
前記主制御手段と通信可能に接続され、前記主制御手段から送信される送信情報に応じた制御処理を行う副制御手段と、
前記副制御手段の制御の下で演出の出力を行う演出出力手段と、
遊技者の接触を検出するタッチ検出手段と、
遊技者の回転操作を検出する回転操作検出手段と、
遊技者による前記演出の音量調節を可能とする音量調節手段と、を備え、
前記演出には、前記タッチ検出手段による遊技者の接触の検出であるタッチ検出を契機として出力されるものがあり、
前記ぱちんこ遊技機の状態として、前記図柄ゲームと前記特別遊技とのいずれも実行されていない状態である遊技待機状態と、前記図柄ゲームと前記特別遊技とのいずれかが実行されている状態である遊技実行中状態とを有し、
前記遊技待機状態には、前記副制御手段による演出の出力内容が異なる複数種類の遊技待機状態を含み、
前記複数種類の遊技待機状態のうちいずれの遊技待機状態であるかに応じて、前記タッチ検出を契機として演出が出力されるか否か、および／又は、前記タッチ検出を契機として出力される演出が異なり得るよう構成され、
前記始動入賞口として、第１始動入賞口と、第２始動入賞口が設けられ、
前記第２始動入賞口には開閉部材が取り付けられ、
前記遊技領域に、遊技球が入球可能な作動口が設けられ、
前記作動口に遊技球が入球したことを契機に開閉部材が駆動することで、前記第２始動入賞口への遊技球の入球が容易となるよう構成され、
電源投入前から前記タッチ検出手段への接触が行われたまま電源復帰した状況では前記タッチ検出を契機とした演出が出力されず、
前記タッチ検出を契機とした演出と、前記音量調節手段を用いた音量調節とを同時に実行可能であり、
前記タッチ検出を契機とした演出の出力中において、所定の第１エラーが検出されると、出力中の前記タッチ検出を契機とした演出を中断するが、前記第１エラーと異なる第２エラーが検出されても、出力中の前記タッチ検出を契機とした演出を中断せずに継続し、
遊技者による操作が可能な演出ボタンを備え、
タッチ検出前の所定期間内に前記演出ボタンが操作されている場合には、当該タッチ検出に基づく前記タッチ検出を契機とした演出を実行せず、
前記タッチ検出手段により遊技者の接触が検出されている状況から遊技者の接触が検出されていない状況へと変化した場合、前記タッチ検出を契機とした演出が実行されず、
遊技者による回転操作中にタッチ検出がされた場合でも、当該タッチ検出に基づく前記タッチ検出を契機とした演出が実行されることを特徴とするぱちんこ遊技機。
【手続補正２】
【補正対象書類名】明細書
【補正対象項目名】０００５
【補正方法】変更
【補正の内容】
【０００５】
上記課題を解決するために本発明は、遊技領域に遊技球を発射し、前記遊技領域に形成された始動入賞口（第１始動入賞口、第２始動入賞口など）に遊技球が入球したことを契機に図柄ゲームとして図柄（特別図柄など）を変動表示させた後に停止表示させ、停止表示した図柄が所定の表示態様である場合に遊技者に利益を付与可能な特別遊技を行うぱちんこ遊技機であって、
前記図柄ゲームを含む遊技の進行を制御する主制御手段（メイン基板など）と、
前記主制御手段と通信可能に接続され、前記主制御手段から送信される送信情報（メインコマンドなど）に応じた制御処理を行う副制御手段（サブメイン基板など）と、
前記副制御手段の制御の下で演出の出力を行う演出出力手段（演出表示装置、スピーカ、各種ＬＥＤなど）と、
遊技者の接触を検出するタッチ検出手段（タッチスイッチなど）と、
遊技者の回転操作を検出する回転操作検出手段（発射強度ボリュームなど）と、
遊技者による前記演出の音量調節を可能とする音量調節手段（十字キーなど）と、を備え、
前記演出には、前記タッチ検出手段による遊技者の接触の検出であるタッチ検出を契機として出力されるもの（タッチ演出など）があり、
前記ぱちんこ遊技機の状態として、前記図柄ゲームと前記特別遊技とのいずれも実行されていない状態である遊技待機状態（「Ｂ１：遊技待機状態（通常デモ表示）」など）と、前記図柄ゲームと前記特別遊技とのいずれかが実行されている状態である遊技実行中状態（「Ｂ２：遊技中状態」など）とを有し、
前記遊技待機状態には、前記副制御手段による演出の出力内容が異なる複数種類の遊技待機状態（「Ｂ１１：遊技待機Ａ（通常デモ表示）」〜「Ｂ１４：遊技待機（節電中）」など）を含み、
前記複数種類の遊技待機状態のうちいずれの遊技待機状態であるかに応じて、前記タッチ検出を契機として演出が出力されるか否か、および／又は、前記タッチ検出を契機として出力される演出が異なり得るよう構成され、
前記始動入賞口として、第１始動入賞口と、第２始動入賞口が設けられ、
前記第２始動入賞口には開閉部材が取り付けられ、
前記遊技領域に、遊技球が入球可能な作動口が設けられ、
前記作動口に遊技球が入球したことを契機に開閉部材が駆動することで、前記第２始動入賞口への遊技球の入球が容易となるよう構成され、
電源投入前から前記タッチ検出手段への接触が行われたまま電源復帰した状況では前記タッチ検出を契機とした演出が出力されず、
前記タッチ検出を契機とした演出と、前記音量調節手段を用いた音量調節とを同時に実行可能であり、
前記タッチ検出を契機とした演出の出力中において、所定の第１エラー（不正入賞エラー、磁器検知エラーなど）が検出されると、出力中の前記タッチ検出を契機とした演出を中断するが、前記第１エラーと異なる第２エラー（発射方向不適エラー、扉開放エラーなど）が検出されても、出力中の前記タッチ検出を契機とした演出を中断せずに継続し、
遊技者による操作が可能な演出ボタンを備え、
タッチ検出前の所定期間内に前記演出ボタンが操作されている場合には、当該タッチ検出に基づく前記タッチ検出を契機とした演出を実行せず、
前記タッチ検出手段により遊技者の接触が検出されている状況から遊技者の接触が検出されていない状況へと変化した場合、前記タッチ検出を契機とした演出が実行されず、
遊技者による回転操作中にタッチ検出がされた場合でも、当該タッチ検出に基づく前記タッチ検出を契機とした演出が実行されることを特徴とするぱちんこ遊技機である。
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
包装部材の内部に、エアロゾル形成基材として電子タバコカートリッジ用充填物が配置されている電子タバコカートリッジであって、
前記充填物は、非タバコ植物、エアロゾルフォーマを含有し、かつ、ペースト状であり、
該ペースト状の充填物が、カートリッジ内に絞り出されて充填されてなるか、または、ペースト状の充填物が塗布されている展開した状態の包装部材を包装部材ごと巻き上げられてなることを特徴とする非タバコ植物を使用した電子タバコカートリッジ。
【請求項２】
更に、前記充填物は、カルボキシメチルセルロースナトリウム塩を含有してなることを特徴とする請求項１に記載の非タバコ植物を使用した電子タバコカートリッジ。
【請求項３】
前記包装部材の内部に、更に、支持部材と冷却部材とマウスピースとが配置されてなり、前記エアロゾル形成基材がある側の端から、エアロゾル形成基材、支持部材、冷却部材がこの順序で配置され、他端にマウスピースが配置されていることを特徴とする請求項１又は２に記載の非タバコ植物を使用した電子タバコカートリッジ。
【手続補正２】
【補正対象書類名】明細書
【補正対象項目名】発明の名称
【補正方法】変更
【補正の内容】
【発明の名称】非タバコ植物を用いた電子タバコカートリッジ
【手続補正書】
【提出日】令和2年7月22日(2020.7.22)
【手続補正１】
【補正対象書類名】明細書
【補正対象項目名】００３１
【補正方法】変更
【補正の内容】
【００３１】
クラッチプレートＣ１等はバネ等により付勢されており、クラッチレバー１７０への前記押し下げ操作が解除されると、クラッチレバー１７０は上方位置に復帰する（クラッチ機構は、オン状態に復帰する）。なお、クラッチレバー１７０への前記押し下げ操作が解除されても、クラッチレバー１７０は下方の位置で留まり（クラッチ機構はオフ状態のままとなる）、再度クラッチレバー１７０への前記押し下げ操作があったときに、クラッチレバー１７０を上方位置に復帰させるように、クラッチ機構を構成してもよい。
【手続補正２】
【補正対象書類名】明細書
【補正対象項目名】００５８
【補正方法】変更
【補正の内容】
【００５８】
上記実施の形態では、第１部材１８１をクラッチレバー１７０の上方からクラッチレバー１７０に取り付け、第２部材１８２をクラッチレバー１７０の第２面１７２側からクラッチレバー１７０に取り付けていたが、本発明はこれに限られない。例えば、第１部材１８１及び第２部材１８２をいずれもブロック状の部材とし、第１部材１８１の下面に左右方向に延びるスリットを形成し、第２部材１８２の上面に左右方向に延びるスリットを形成して、第１部材１８１及び第２部材１８２でクラッチレバー１７０を上下から挟み込むように構成してもよい。
【手続補正書】
【提出日】令和2年8月31日(2020.8.31)
【手続補正１】
【補正対象書類名】明細書
【補正対象項目名】００３２
【補正方法】変更
【補正の内容】
【００３２】
第１フランジ１２２Ｂは、断面矩形のリング形状を有する。第１フランジ１２２Ｂには、筒状部材１２３の後述の凸部１２３Ｂが当たっている（詳細は後述）。第１フランジ１２２Ｂは、第２雄ネジ部１２２ＡＢと第２フランジ１２２Ｃとの間であって、これらのうちの第２雄ネジ部１２２ＡＢに近い方に位置している。さらに、第１フランジ１２２Ｂは、その一部が収容空間Ｓ（ここでは、貫通孔１１１Ａ又は１１２Ａ）内に入り込んだ位置に形成されている。このように、第１フランジ１２２Ｂは、第２雄ネジ部１２２ＡＢの近傍に設けられている。なお、第２雄ネジ部１２２ＡＢのネジ切りは、第１フランジ１２２Ｂにまで達していなくてよい。
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
血管内の所定位置に留置される筒状の血管内留置具を拡張させる拡張用カテーテルであって、
筒状部を有し、遠位端部と近位端部が連通している骨格部材と、
前記筒状部の外側に配置され、流体の供給により拡張して前記血管内留置具の内側面を径方向外側に押圧するバルーンと、を備え、
前記骨格部材は、拡縮自在に構成され、前記バルーンが拡張する際に、拡張状態となることを特徴とする拡張用カテーテル。
【請求項２】
前記骨格部材は、線材の編み込みにより形成されることを特徴とする請求項１に記載の拡張用カテーテル。
【請求項３】
前記骨格部材の前記近位端部に接続される第１チューブと、
前記骨格部材、前記バルーン及び前記第１チューブを収納する第２チューブと、をさらに備え、
前記骨格部材は、前記第２チューブから露出したときに、径方向外側に自己拡張することを特徴とする請求項１または２に記載の拡張用カテーテル。
【請求項４】
前記骨格部材は、縮径状態にて軸方向への伸張を規制するように構成されていることを特徴とする請求項１から３のいずれか一項に記載の拡張用カテーテル。
【請求項５】
前記骨格部材は、線材を交互にかみ合わせるように編み込まれていることを特徴とする請求項４に記載の拡張カテーテル。
【請求項６】
前記骨格部材は、前記筒状部の近位側に前記第１チューブに向かって縮径する接続部を有し、前記筒状部の遠位端部と前記接続部が連通することを特徴とする請求項３に記載の拡張用カテーテル。
【手続補正２】
【補正対象書類名】明細書
【補正対象項目名】０００７
【補正方法】変更
【補正の内容】
【０００７】
本発明の一態様に係る拡張用カテーテルは、
血管内の所定位置に留置される筒状の血管内留置具を拡張させる拡張用カテーテルであって、
筒状部を有し、遠位端部と近位端部が連通している骨格部材と、
前記筒状部の外側に配置され、流体の供給により拡張して前記血管内留置具の内側面を径方向外側に押圧するバルーンと、を備え、
前記骨格部材は、拡縮自在に構成され、前記バルーンが拡張する際に、拡張状態となることを特徴とする。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の可変入賞装置を動作させる当り遊技を実行する遊技機において、
遊技球を発射する発射手段と、
所定の設定決定条件の成立に基づいて、前記当り結果が導出される確率に関する設定情報を決定可能な設定情報決定手段と、
所定の設定確認条件の成立に基づいて、前記設定情報決定手段が決定した前記設定情報を所定の表示部に表示可能な設定情報確認手段と、を備え、
少なくとも前記設定確認条件が成立して前記設定情報を前記表示部に表示している間は、前記発射手段により遊技球が発射されないようにされ、且つ、前記始動口への入球による抽選も行われない
ことを特徴とする遊技機。
【手続補正２】
【補正対象書類名】明細書
【補正対象項目名】０００３
【補正方法】変更
【補正の内容】
【０００３】
こうした遊技機では、例えば、遊技場管理者による操作によって、当り確率等の設定情報を設定可能としている（例えば特許文献１）。
【手続補正３】
【補正対象書類名】明細書
【補正対象項目名】０００４
【補正方法】変更
【補正の内容】
【０００４】
しかしながら、設定情報を有する遊技機については、運用し難くなる虞があった。
【手続補正４】
【補正対象書類名】明細書
【補正対象項目名】０００５
【補正方法】変更
【補正の内容】
【０００５】
【特許文献１】特開平６−９１０４９号公報
【手続補正５】
【補正対象書類名】明細書
【補正対象項目名】０００６
【補正方法】変更
【補正の内容】
【０００６】
そこで、本発明は、上記の実情に鑑み、設定情報を有する遊技機について運用し易くすることを課題とするものである。
【手続補正６】
【補正対象書類名】明細書
【補正対象項目名】０００７
【補正方法】変更
【補正の内容】
【０００７】
上記した目的を達成するために、請求項１に係る発明においては、
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の可変入賞装置を動作させる当り遊技を実行する遊技機において、
遊技球を発射する発射手段と、
所定の設定決定条件の成立に基づいて、前記当り結果が導出される確率に関する設定情報を決定可能な設定情報決定手段と、
所定の設定確認条件の成立に基づいて、前記設定情報決定手段が決定した前記設定情報を所定の表示部に表示可能な設定情報確認手段と、を備え、
少なくとも前記設定確認条件が成立して前記設定情報を前記表示部に表示している間は、前記発射手段により遊技球が発射されないようにされ、且つ、前記始動口への入球による抽選も行われない（段落１９０１等参照）
ことを特徴とする。
また、本発明とは別の発明として、以下の手段を参考的に開示する。
手段１：遊技機において、
「遊技者によって遊技が行われる遊技領域と、
該遊技領域を前方から視認可能に閉鎖している遊技窓を有する前部材と、
該前部材における前記遊技窓よりも外側に設けられており、所定の装飾を有するように光透過率の異なる複数の合成樹脂により多色成形された装飾体と
を具備している」ものであることを特徴とする。
【手続補正７】
【補正対象書類名】明細書
【補正対象項目名】００６８
【補正方法】変更
【補正の内容】
【００６８】
本発明によれば、設定情報を有する遊技機について運用し易くすることができる。
【手続補正書】
【提出日】令和2年6月17日(2020.6.17)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤を備え、前記遊技領域を流下した遊技球が所定の始動口に入球することに基づいて抽選を行い、該抽選の結果に基づいて特別図柄の変動表示を行い、該特別図柄の変動表示の結果として当り結果が導出された場合に所定の可変入賞装置を動作させる当り遊技を実行する遊技機において、
当該遊技機の電源が投入されるときに特定の管理者操作が行われることに基づいて、前記当り結果が導出される確率に関する設定情報を決定可能な設定決定モードを発生させる設定決定モード発生手段を備え、
前記特別図柄は複数の発光体からなり、該複数の発光体を点滅表示させて前記抽選の結果に対応する態様で点灯表示するように制御することによって、前記特別図柄の変動表示および停止表示が行われるものであり、
前記設定決定モード中は、遊技の進行を不能とし、前記特別図柄を構成する前記複数の発光体の全てを、前記抽選の結果に対応する態様とは異なる全点灯態様あるいは全消灯態様で制御する
ことを特徴とする遊技機。
【手続補正２】
【補正対象書類名】明細書
【補正対象項目名】０００３
【補正方法】変更
【補正の内容】
【０００３】
こうした遊技機のなかには、例えば、遊技場管理者による操作によって、当り確率等の設定情報を設定可能としている（例えば特許文献１）。
【手続補正３】
【補正対象書類名】明細書
【補正対象項目名】０００４
【補正方法】変更
【補正の内容】
【０００４】
しかしながら、従来の設定情報を有する遊技機については、利便性に関して不十分な虞があった。
【手続補正４】
【補正対象書類名】明細書
【補正対象項目名】０００５
【補正方法】変更
【補正の内容】
【０００５】
【特許文献１】特開平６−９１０４９号公報
【手続補正５】
【補正対象書類名】明細書
【補正対象項目名】０００６
【補正方法】変更
【補正の内容】
【０００６】
そこで、本発明は、上記の実情に鑑み、設定情報を有する遊技機について利便性を高めることを課題とするものである。
【手続補正６】
【補正対象書類名】明細書
【補正対象項目名】０００７
【補正方法】変更
【補正の内容】
【０００７】
上記した目的を達成するために、請求項１に係る発明においては、
遊技球が流下可能な遊技領域が形成された遊技盤を備え、前記遊技領域を流下した遊技球が所定の始動口に入球することに基づいて抽選を行い、該抽選の結果に基づいて特別図柄の変動表示を行い、該特別図柄の変動表示の結果として当り結果が導出された場合に所定の可変入賞装置を動作させる当り遊技を実行する遊技機において、
当該遊技機の電源が投入されるときに特定の管理者操作が行われることに基づいて、前記当り結果が導出される確率に関する設定情報を決定可能な設定決定モードを発生させる設定決定モード発生手段を備え、
前記特別図柄は複数の発光体からなり、該複数の発光体を点滅表示させて前記抽選の結果に対応する態様で点灯表示するように制御することによって、前記特別図柄の変動表示および停止表示が行われるものであり、
前記設定決定モード中は、遊技の進行を不能とし、前記特別図柄を構成する前記複数の発光体の全てを、前記抽選の結果に対応する態様とは異なる全点灯態様あるいは全消灯態様で制御する
（段落１５３９等参照）
ことを特徴とする。
本発明によれば、設定決定モード中は遊技の進行を停止させるとともに、特別図柄を構成する複数の発光体の全てを、抽選の結果に対応する態様とは異なる全点灯態様あるいは全消灯態様で制御することで、遊技の進行が停止している状態であることを外部から容易に認識可能になる。
また、本発明とは別の発明として、以下の手段を参考的に開示する。
手段１：遊技機において、
「球タンクに貯留されている複数の遊技媒体を整列させて払出装置へ誘導するタンクレールと、
該タンクレールの上部に上下方向へ揺動可能に設けられており、積み重なっている遊技媒体を崩す球崩し部材と、
前記タンクレールから前記球崩し部材よりも上方へ突出している保護部と
を具備している」ものであることを特徴とする。
【手続補正７】
【補正対象書類名】明細書
【補正対象項目名】００３６
【補正方法】変更
【補正の内容】
【００３６】
本発明によれば、設定情報を有する遊技機について利便性を高めることができる。
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
絶縁性材料を用いて構成された筒部材と、
前記筒部材の端部側でかつ外周寄りに固定された振動子ケーブルと、
前記筒部材の外周面にそれぞれ対向して当該筒部材の中心軸を囲む周方向に沿って配列され、前記振動子ケーブルから入力した電気信号に応じて超音波をそれぞれ出射するとともに、外部から入射した超音波を電気信号にそれぞれ変換する複数の圧電素子と、
前記振動子ケーブルを構成する複数の信号線と前記複数の圧電素子とにそれぞれ電気的に接続し、当該複数の信号線と当該複数の圧電素子とをそれぞれ中継する複数の中継部材とを備え、
前記信号線は、
前記筒部材の外周面上で前記中継部材に電気的に接続するとともに、当該外周面における前記周方向の全周のうち、前記振動子ケーブルの固定位置側の一部の領域から当該固定位置に向けて配設されている
ことを特徴とする超音波振動子。
【請求項２】
前記中継部材は、
前記筒部材の外周面上で前記固定位置側に延在して前記信号線に電気的に接続する延在部を備える
ことを特徴とする請求項１に記載の超音波振動子。
【請求項３】
前記中継部材は、
前記筒部材の外周面に設けられ、前記圧電素子に電気的に接続する配線パターンと、
前記筒部材の外周面上に取り付けられ、前記配線パターンと前記信号線とにそれぞれ電気的に接続して当該配線パターンと当該信号線とを中継するフレキシブル基板とを備え、
前記延在部は、
前記フレキシブル基板である
ことを特徴とする請求項２に記載の超音波振動子。
【請求項４】
前記フレキシブル基板は、
前記周方向に沿って延在するとともに、前記固定位置側に屈曲して延在する
ことを特徴とする請求項３に記載の超音波振動子。
【請求項５】
前記フレキシブル基板は、
隣接する他の前記フレキシブル基板との間で互いに重なり合う
ことを特徴とする請求項３に記載の超音波振動子。
【請求項６】
前記筒部材は、
円筒形状を有し、
前記配線パターンは、
前記中心軸に沿って延在するパターン本体と、
前記パターン本体の端部から前記一部の領域に向けて屈曲して延在するとともに、前記フレキシブル基板に電気的に接続する屈曲部とを備え、
複数の前記配線パターンにおける各前記屈曲部の各端部は、
前記中心軸に沿って配列されている
ことを特徴とする請求項３に記載の超音波振動子。
【請求項７】
前記筒部材は、
筒部材本体と、
前記筒部材本体の外周面から張り出すとともに、前記複数の圧電素子に対して前記中心軸に沿う方向に対向する鍔部とを備え、
前記配線パターンは、
前記筒部材本体の外周面及び前記鍔部の外周面を跨いで設けられ、
複数の前記配線パターンにおける前記複数の圧電素子にそれぞれ電気的に接続する複数の素子側接続部の前記中心軸周りのピッチ角度と前記複数の圧電素子における前記中心軸周りのピッチ角度とは、同一に設定されている
ことを特徴とする請求項３に記載の超音波振動子。
【請求項８】
前記筒部材の端部には、
他の部位に対して外形サイズが小さい段差部が設けられ、
前記信号線は、
前記段差部の外周面上で前記中継部材に電気的に接続し、
前記段差部の少なくとも一部は、
前記複数の圧電素子で形成される筒形状の内側に位置付けられる
ことを特徴とする請求項１に記載の超音波振動子。
【請求項９】
前記筒部材における端部の外周面には、
バルーンが係止される溝部が形成されている
ことを特徴とする請求項１に記載の超音波振動子。
【請求項１０】
前記複数の中継部材は、
前記複数の圧電素子にそれぞれ電気的に接続する複数の素子側接続部の配列方向と、前記複数の信号線にそれぞれ電気的に接続する複数のケーブル側接続部の配列方向とが互いに異なるように構成されている
ことを特徴とする請求項１に記載の超音波振動子。
【請求項１１】
請求項１に記載の超音波振動子と、
前記筒部材の内部に挿通され、被写体像を取り込む対物光学部材と、
前記筒部材の内部に挿通され、被写体に照射する照明光を導光する導光部材とを備える
ことを特徴とする超音波内視鏡。
【手続補正２】
【補正対象書類名】明細書
【補正対象項目名】０００６
【補正方法】変更
【補正の内容】
【０００６】
上述した課題を解決し、目的を達成するために、本発明に係る超音波振動子は、絶縁性材料を用いて構成された筒部材と、前記筒部材の端部側でかつ外周寄りに固定された振動子ケーブルと、前記筒部材の外周面にそれぞれ対向して当該筒部材の中心軸を囲む周方向に沿って配列され、前記振動子ケーブルから入力した電気信号に応じて超音波をそれぞれ出射するとともに、外部から入射した超音波を電気信号にそれぞれ変換する複数の圧電素子と、前記振動子ケーブルを構成する複数の信号線と前記複数の圧電素子とにそれぞれ電気的に接続し、当該複数の信号線と当該複数の圧電素子とをそれぞれ中継する複数の中継部材とを備え、前記信号線は、前記筒部材の外周面上で前記中継部材に電気的に接続するとともに、当該外周面における前記周方向の全周のうち、前記振動子ケーブルの固定位置側の一部の領域から当該固定位置に向けて配設されていることを特徴とする。
【誤訳訂正書】
【提出日】令和2年3月16日(2020.3.16)
【誤訳訂正１】
【訂正対象書類名】明細書
【訂正対象項目名】０００９
【訂正方法】変更
【訂正の内容】
【０００９】
搾りかすは、スコッチモルトウイスキーとアイリッシュモルトウイスキー双方や他の地理的位置で製造されるモルトウイスキーのために行われるマッシングプロセスの後に残存する使用済穀物固形残留物や、麦芽マッシュのビールマッシングの後に残存する使用済穀物固形残留物である。高分子レベルの搾りかすの主な成分は、油及びタンパク質と共に非発酵性炭水化物、例えばヘミセルロースやセルロースである。更に、搾りかすの全体的な組成は時間が経つにつれて比較的に一定になるようであり、これは潜在的には嫌気性消化に適切な基質である。高分子製造を与えるC:N:P比もまた、嫌気性消化に許容できる範囲になるようである。典型的には、搾りかすは、高水分含有量、例えば75%〜80質量/質量%を有し、現実は酸性、典型的にはpH 4.0〜5.5である。また、固体である搾りかすは、それを短時間で直接容易に消化可能にしない。固形物は嫌気的に温浸され得るが、商業的に実行可能であるために、消化、それ故、バイオガス生成ができる限り短時間で生じることは重要である。驚くべきことに、本発明者らは酵素の使用、例えばセルラーゼやヘミセルラーゼが搾りかす及び他の使用済穀物材料の消化を改善しないことを見出し、このように、本発明は、実質的に特に添加された酵素、例えばヘミセルラーゼやセルラーゼの存在しないときに行われ得る。このことは、もちろん、スターター培養物及び/又は液体残存物中に天然に存在し得る酵素を除外しない。
典型的には、固体生成物(1つ以上)搾りかすの水分含量及び灰分を第一に測定する。固体生成物出発材料については、任意のバイオガス又はメタン収量の結果は、揮発性乾燥固形物トン当たり×m3(バイオガス又はメタン)によって表されることを必要とする。
【手続補正書】
【提出日】令和2年5月18日(2020.5.18)
【手続補正１】
【補正対象書類名】明細書
【補正対象項目名】０００２
【補正方法】変更
【補正の内容】
【０００２】
従来、種々の産業分野で液体の攪拌操作が行われている。例えば、紙、フィルムなどのシート状物の表面に塗料を塗工する塗工機ラインでは、攪拌機を備えた攪拌槽で塗料を攪拌しつつこれを貯留し、ポンプによって攪拌槽から塗工機へ塗料を移送し、塗工機によってシート状物に塗料を塗工する。攪拌槽での塗料の攪拌は、塗料成分の均一分散、塗工品質の確保などの観点から必要な操作であるが、一方で、塗料の攪拌に伴って泡が発生する場合がある。このような液体の攪拌に伴う発泡は、生産効率や品質の低下、環境汚染などの不都合を招くおそれがある。
【手続補正２】
【補正対象書類名】明細書
【補正対象項目名】０００５
【補正方法】変更
【補正の内容】
【０００５】
特許文献３には、酸化亜鉛と各種添加物との電圧非直線抵抗体用の調合原料を調製するに際し、攪拌槽にてその調合原料を含むスラリーの脱泡を行うための攪拌翼として、該攪拌槽の上部中央に配置される攪拌用攪拌翼と、下部中央に配置される消泡用攪拌翼との２種類の攪拌翼を備えたものが記載されている。この２種類の攪拌翼は、それぞれ、攪拌軸から離れる方向に向かって水平に延びる２本の部材から構成され、その２本の部材は、攪拌軸から互いに反対方向に延びている。特許文献３によれば、下方に配置された攪拌用攪拌翼によってスラリー中の泡を上昇させ、その上昇してきた泡を、上方に配置された消泡用攪拌翼によって破壊するとされている。
【手続補正３】
【補正対象書類名】明細書
【補正対象項目名】００２３
【補正方法】変更
【補正の内容】
【００２３】
攪拌装置１における第１支持部材４１においては、複数の棒状部材４２は、図２及び図３に示すように、該支持部材４１からの延出長さ４２Ｌ（図３参照）が互いに異なる複数の棒状部材４２からなる不均一棒状部材群を含む。図示の形態においては、第１支持部材４１の長手方向Ｘ１に間欠配置された複数の棒状部材４２からなる棒状部材列が、前記不均一棒状部材群のみから構成されており、１個の第１支持部材４１に該棒状部材列が３列存在するので、前記不均一棒状部材群が３つ存在することになる。そして、この３つの不均一棒状部材群それぞれにおいて、複数の棒状部材４２は、攪拌軸３から離れるに従って延出長さ４２Ｌが漸次短くなるように、第１支持部材４１に配置されている。
【手続補正４】
【補正対象書類名】明細書
【補正対象項目名】００２９
【補正方法】変更
【補正の内容】
【００２９】
攪拌装置１における第２支持部材４４においては、複数の棒状部材４５は、図２及び図４に示すように、該支持部材４４からの延出長さ４５Ｌ（図４参照）が互いに異なる複数の棒状部材４５からなる不均一棒状部材群を含む。図示の形態においては、第２支持部材４４の長手方向Ｘ２に間欠配置された複数の棒状部材４５からなる棒状部材列が、前記不均一棒状部材群のみから構成されており、１個の第２支持部材４４に該棒状部材列が３列存在するので、前記不均一棒状部材群が３つ存在することになる。そして、この３つの不均一棒状部材群それぞれにおいて、複数の棒状部材４５は、攪拌軸３から離れるに従って延出長さ４５Ｌが漸次短くなるように、第２支持部材４４に配置されている。
【手続補正５】
【補正対象書類名】明細書
【補正対象項目名】００４６
【補正方法】変更
【補正の内容】
【００４６】
本発明は前記実施形態に制限されず、本発明の趣旨を逸脱しない範囲で適宜変更可能である。
例えば第１支持部材４１においては、その長手方向Ｘ１に間欠配置された複数の棒状部材４２からなる１列の棒状部材列が、前記不均一棒状部材群のみから構成されていたが、該棒状部材列を構成する複数の棒状部材４２のうちの一部のみが前記不均一棒状部材群であってもよい。これは、第２支持部材４４の複数の棒状部材４５についても当てはまる。
また、第１支持部材４１及び第２支持部材４４それぞれと攪拌軸３とのなす角度が調整可能になされていてもよく、例えば、両支持部材４１，４４がそれぞれ３６０度回転式であってもよい。その場合は例えば、第１支持部材４１と攪拌軸３とのなす角度を９０度以外の角度に調整して、第１支持部材４１の延びる方向を水平方向以外の方向、具体的には例えば、攪拌軸３から離れる方向に向かって斜め下方に延びるようにしてもよい。
【手続補正書】
【提出日】令和2年5月18日(2020.5.18)
【手続補正１】
【補正対象書類名】明細書
【補正対象項目名】０００２
【補正方法】変更
【補正の内容】
【０００２】
従来、種々の産業分野で液体の攪拌操作が行われている。例えば、紙、フィルムなどのシート状物の表面に塗料を塗工する塗工機ラインでは、攪拌機を備えた攪拌槽で塗料を攪拌しつつこれを貯留し、ポンプによって攪拌槽から塗工機へ塗料を移送し、塗工機によってシート状物に塗料を塗工する。攪拌槽での塗料の攪拌は、塗料成分の均一分散、塗工品質の確保などの観点から必要な操作であるが、一方で、塗料の攪拌に伴って泡が発生する場合がある。このような液体の攪拌に伴う発泡は、生産効率や品質の低下、環境汚染などの不都合を招くおそれがある。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
表示画面と、
カメラで空間を撮像することにより得られた第１画像、及び前記空間に存在する少なくとも１種類のエアロゾルを表す第２画像が合成された合成画像を前記表示画面に表示させる制御部と、を備え、
前記第２画像には、前記少なくとも１種類のエアロゾルの、前記第１画像における奥行き方向の位置が反映されている、
表示装置。
【請求項２】
前記第１画像は二次元画像データを含み、
前記制御部は、さらに、
前記二次元画像データに、前記少なくとも１種類のエアロゾルの前記空間内の位置を表す三次元座標データを投影することで前記第２画像を生成し、
前記第１画像と前記第２画像とを合成することで前記合成画像を生成する、
請求項１に記載の表示装置。
【請求項３】
前記制御部は、さらに、
前記少なくとも１種類のエアロゾルの前記空間内の位置を取得するセンサから前記三次元座標データを取得し、
前記第１画像を擬似的に三次元画像に拡張し、
前記三次元画像と前記三次元座標データとを対応付けて、前記二次元画像データに前記三次元座標データを投影することで前記第２画像を生成する、
請求項２に記載の表示装置。
【請求項４】
前記第２画像は、前記少なくとも１種類のエアロゾルが存在する範囲を表す輪郭と、基準位置から前記輪郭内の代表位置までの距離を表す距離情報とを含む、
請求項１から３のいずれか１項に記載の表示装置。
【請求項５】
前記制御部は、前記合成画像の視点を変更して前記表示画面に表示させることができる、
請求項３に記載の表示装置。
【請求項６】
前記距離情報は、前記距離に応じて予め定められた、前記輪郭内に付された色である、
請求項４に記載の表示装置。
【請求項７】
前記合成画像は、前記空間と、前記少なくとも１種類のエアロゾルが存在する範囲を表す輪郭とを含む三次元モデルを示す、
請求項１から６のいずれか１項に記載の表示装置。
【請求項８】
前記第２画像は、複数の画像が時間的に切り替わる動画像であり、
前記複数の画像の各々は、
基準位置からの距離に対応し、
前記対応する距離における前記少なくとも１種類のエアロゾルが存在する範囲を表す輪郭を含む、
請求項１から７のいずれか１項に記載の表示装置。
【請求項９】
前記第２画像に、さらに、前記少なくとも１種類のエアロゾルの濃度が反映されている、
請求項１から８のいずれか１項に記載の表示装置。
【請求項１０】
前記第２画像は、前記少なくとも１種類のエアロゾルの濃度のレベルを表すレベル情報を含む、
請求項９に記載の表示装置。
【請求項１１】
前記少なくとも１種類のエアロゾルは、複数種類のエアロゾルを含み、
前記第２画像は、前記複数種類のエアロゾルをそれぞれ異なる表示態様で表す、
請求項１から１０のいずれか１項に記載の表示装置。
【請求項１２】
前記制御部は、さらに、前記少なくとも１種類のエアロゾルの濃度が閾値を上回った場合に、ユーザの注意を喚起するための画像を前記表示画面に表示する、
請求項１から１１のいずれか１項に記載の表示装置。
【請求項１３】
前記少なくとも１種類のエアロゾルは、同一の種類で異なる位置に存在する複数の局在エアロゾルを含み、
前記第２画像は、前記空間における基準位置からのそれぞれのエアロゾルの距離に対応する距離情報を含む、
請求項１から１２のいずれか１項に記載の表示装置。
【請求項１４】
空間に存在する少なくとも１種類のエアロゾルの前記空間内の位置を表す三次元座標データを取得する取得回路と、
プロセッサと、を備え、
前記プロセッサは、前記三次元座標データに基づいて、カメラで前記空間を撮像することにより得られた第１画像と、前記空間に存在する少なくとも１種類のエアロゾルを表す第２画像とが合成された合成画像を生成し、
前記第２画像には、前記少なくとも１種類のエアロゾルの、前記第１画像における奥行き方向の位置が反映されている、
画像処理装置。
【請求項１５】
空間中の少なくとも１種類のエアロゾルに向けて照射光を出射する光源、及び、前記少なくとも１種類のエアロゾルからの戻り光を検出する光検出器を含み、前記光検出器が前記戻り光を検出した結果を表すデータを出力するセンサと、
表示装置と、
を備えるシステムの制御方法であって、
前記センサから前記データを取得すること、
前記データに基づいて、前記少なくとも１種類のエアロゾルの前記空間内の位置を表す三次元座標データを生成すること、
前記三次元座標データに基づいて、カメラで前記空間を撮像することにより得られた第１画像と、前記空間に存在する前記少なくとも１種類のエアロゾルを表す第２画像であって、前記少なくとも１種類の対象物の、前記第１画像における奥行き方向の位置が反映された第２画像とが合成された合成画像を生成すること、及び
前記表示装置に、前記合成画像を表示させること、を含む、
制御方法。
【請求項１６】
前記戻り光は、前記照射光によって前記少なくとも１種類のエアロゾルが励起されて発する蛍光であり、
前記合成画像の生成では、さらに、前記蛍光を分析することで、前記少なくとも１種類のエアロゾルの種類を判別し、前記種類を前記第２画像に反映させる、
請求項１５に記載の制御方法。
【請求項１７】
前記照射光は、所定の偏光成分を含み、
前記合成画像の生成では、さらに、前記戻り光に含まれる前記偏光成分の偏光解消度に基づいて前記少なくとも１種類のエアロゾルの種類を判別し、前記種類を前記第２画像に反映
させる、
請求項１６に記載の制御方法。
【請求項１８】
前記三次元座標データは、前記照射光が出射される時間と前記戻り光が検出される時間との差に基づいて算出された、前記センサと前記少なくとも１種類のエアロゾルとの相対位置関係と、前記センサの前記空間中での座標とを用いて生成される、
請求項１５から１７のいずれか１項に記載の制御方法。
【請求項１９】
前記戻り光は、前記照射光が前記少なくとも１種類のエアロゾルによって散乱されて発生する後方散乱光である、
請求項１５から１８のいずれか１項に記載の制御方法。
【請求項２０】
空間中の少なくとも１種類のエアロゾルに向けて照射光を出射する光源、及び、前記少なくとも１種類のエアロゾルからの戻り光を検出する光検出器を含み、前記光検出器が前記戻り光を検出した結果を表すデータを出力するセンサと、
表示装置と、
を備えるシステムを制御するためのコンピュータ実行可能なプログラムであって、
前記センサから前記データを取得すること、
前記データに基づいて、前記少なくとも１種類のエアロゾルの前記空間内の位置を表す三次元座標データを生成すること、
前記三次元座標データに基づいて、カメラで前記空間を撮像することにより得られた第１画像と、前記空間に存在する前記少なくとも１種類のエアロゾルを表す第２画像であって、前記少なくとも１種類の対象物の、前記第１画像における奥行き方向の位置が反映された第２画像とが合成された合成画像を生成すること、及び
前記表示装置に、前記合成画像を表示させること、をコンピュータに実行させる、
プログラム。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
ファイルを管理する情報処理装置を制御するプログラムであって、
前記情報処理装置を、
前記ファイルのファイル識別情報を取得する取得手段と、
任意の文字列を設定する設定手段と、
前記設定手段により設定された任意の文字列と、前記取得手段により取得されたファイル識別情報とを組み合わせた新たなファイル識別情報を表示する表示手段として機能させるためのプログラム。
【請求項２】
前記表示手段は、フォーカスが当てられた入力エリアに、前記任意の文字列と、前記取得手段により取得されたファイル識別情報とを組み合わせた新たなファイル識別情報を表示することを特徴とする請求項１に記載のプログラム。
【請求項３】
前記取得手段は、指定されたアセンブリファイルが参照している被参照ファイルのファイル識別情報を取得することを特徴とする請求項１又は２に記載のプログラム。
【請求項４】
ファイルを管理する情報処理装置であって、
前記ファイルのファイル識別情報を取得する取得手段と、
任意の文字列を設定する設定手段と、
前記設定手段により設定された任意の文字列と、前記取得手段により取得されたファイル識別情報とを組み合わせた新たなファイル識別情報を表示する表示手段と、
を備えることを特徴とする情報処理装置。
【請求項５】
ファイルを管理する情報処理装置の制御方法であって、
前記情報処理装置の取得手段が、前記ファイルのファイル識別情報を取得する取得工程と、
前記情報処理装置の設定手段が、任意の文字列を設定する設定工程と、
前記情報処理装置の取得手段が、前記設定工程により設定された任意の文字列と、前記取得工程により取得されたファイル識別情報とを組み合わせた新たなファイル識別情報を表示する表示工程と、
を含む制御方法。
【請求項６】
ファイルを管理する情報処理装置を制御するプログラムであって、
前記情報処理装置を、
任意の文字列を設定する設定手段と、
前記設定手段により設定された任意の文字列と、表示画面において新たに入力された文字列とを組み合わせた新たなファイル識別情報を表示する表示手段として機能させるためのプログラム。